(57)【要約】【課題】複数の画像データ群（動画像データ）を記録媒体に記録する際に、それらの画像データ群を効率良く分類して容易に検索できるようにする。【解決手段】記憶手段に記憶された複数の画像データ群（動画像データ）の各動画像データに基づいて、それぞれ生成されたサムネイル画像データの中から特定のサムネイル画像データを選択し（Ｓ２０２）、当該選択結果に応じて、複数の動画像データを複数の集団に分けて記録媒体に記録する際に用いる管理情報を再構成する（Ｓ２０４）。そして、Ｓ２０４で再構成された管理情報に基づいて、記録媒体の外面に特定の縮小画像データに基づく縮小画像を印刷する制御を行なうと共に（Ｓ２０６）、当該記録媒体に当該特定の縮小画像データに係る動画像データを前記集団ごとに記録する制御を行なう（Ｓ２０８）。【選択図】図２
2009303017.tif 000002
【特許請求の範囲】
【請求項１】
複数の画像データ群を記憶する記憶手段と、
前記画像データ群のうちの１つの画像データにおける縮小画像データを生成する縮小画像生成手段と、
前記複数の画像データ群における前記縮小画像データの中から特定の縮小画像データを選択する処理を行なう選択処理手段と、
前記選択処理手段による前記特定の縮小画像データの選択結果に応じて、前記複数の画像データ群を複数の集団に分けて記録媒体に記録する際に用いる管理情報を構成する構成手段と、
前記記録媒体の外面に前記選択処理手段で選択された特定の縮小画像データに基づく縮小画像の印刷と、前記管理情報に基づく、前記複数の集団に分けられた前記複数の画像データ群の記録とを制御する制御手段と
を有することを特徴とする画像データ記録システム。
【請求項２】
前記構成手段は、前記選択処理手段で選択された特定の縮小画像データに係る画像データ群から、前記選択処理手段で当該特定の縮小画像データの次に選択された縮小画像データに係る画像データ群の前の画像データ群までを１つの集団として分割するものであり、
前記集団ごとにタイトルを設定するタイトル設定手段を更に有し、
前記構成手段は、前記タイトル設定手段で設定したタイトルを含む管理情報を構成することを特徴とする請求項１に記載の画像データ記録システム。
【請求項３】
前記タイトル設定手段で設定したタイトルで構成されるメニュー画像データを生成するメニュー画像生成手段を更に有し、
前記制御手段は、当該記録媒体に前記メニュー画像データを記録する制御を更に行なうことを特徴とする請求項２に記載の画像データ記録システム。
【請求項４】
前記記憶手段には、前記画像データ群からなる動画像データと、当該動画像データに関連付けられた前記縮小画像データとが記憶されることを特徴とする請求項１に記載の画像データ記録システム。
【請求項５】
前記選択処理手段は、前記特定の縮小画像データとして、複数の動画像データにおける前記縮小画像データからなる静止画像データの中から特定の静止画像データを選択する処理を行なうことを特徴とする請求項４に記載の画像データ記録システム。
【請求項６】
前記記憶手段は、ビデオカメラ又はＰＣの内部に設けられているものであることを特徴とする請求項１に記載の画像データ記録システム。
【請求項７】
前記縮小画像生成手段で生成された縮小画像データに基づく縮小画像を表示装置に表示する制御を行なう表示制御手段を更に有し、
前記選択処理手段は、前記表示装置に表示された縮小画像の中からユーザにより選択された縮小画像に係る縮小画像データを前記特定の縮小画像データとして選択する処理を行なうことを特徴とする請求項１に記載の画像データ記録システム。
【請求項８】
省電力モードの切り替えを行なう際に操作される切替手段を更に有し、
前記選択処理手段は、前記切替手段による前記省電力モードの解除の操作と連動して、前記特定の縮小画像データの選択処理を自動で行なうことを特徴とする請求項１に記載の画像データ記録システム。
【請求項９】
前記選択処理手段は、前記ビデオカメラ又は前記ＰＣの内部に設けられており、前記ビデオカメラ又は前記ＰＣと有線もしくは無線で接続された外部装置からの選択指示に基づいて、前記特定の縮小画像データの選択処理を行なうことを特徴とする請求項６に記載の画像データ記録システム。
【請求項１０】
記憶手段に記憶された複数の画像データ群を記録媒体に記録する処理を行なう画像データ記録方法であって、
前記画像データ群のうちの１つの画像データにおける縮小画像データを生成する縮小画像生成ステップと、
前記複数の画像データ群における前記縮小画像データの中から特定の縮小画像データを選択する処理を行なう選択処理ステップと、
前記選択処理ステップによる前記特定の縮小画像データの選択結果に応じて、前記複数の画像データ群を複数の集団に分けて記録媒体に記録する際に用いる管理情報を構成する構成ステップと、
前記記録媒体の外面に前記選択処理ステップで選択された特定の縮小画像データに基づく縮小画像の印刷と、前記管理情報に基づく、前記複数の集団に分けられた前記複数の画像データ群の記録とを制御する制御ステップと
を有することを特徴とする画像データ記録方法。
【発明の詳細な説明】
【技術分野】
【０００１】
本発明は、記憶手段に記憶された複数の画像データ群を記録媒体に記録する処理を行なう画像データ記録システム及び画像データ記録方法に関するものである。
【背景技術】
【０００２】
近年のビデオレコーダ一体型カメラ（以下、「ビデオカメラ」と称する）では、動画像データを記録する記録媒体として、ＤＶＤ（Ｄｉｇｉｔａｌ  Ｖｅｒｓａｔｉｌｅ  Ｄｉｓｃ）を始め、ＨＤＤやメモリカード等の様々な種類のものが普及してきている。
【０００３】
ＤＶＤの場合は、ビデオカメラに対して当該記録媒体（「記録メディア」ともいう）が着脱可能であり、且つ、当該記録媒体が比較的安価である。このため、単一の記録媒体の容量を超える容量の記録を行なう場合は、記録媒体を交換しながら、複数個の記録媒体を保存する、といった用法が一般的である。
【０００４】
ここで、ＨＤＤの場合は、一般的には、ビデオカメラ本体から着脱が不可能である。このため、単一のＨＤＤとしては、一般的にはＤＶＤ等と比較して記憶容量は大きいものの、それでも記憶容量は有限であるため、ビデオカメラに内蔵されたＨＤＤに記録した動画像データを、ＤＶＤ等の外部の記録媒体にコピーする必要が生ずる。
【０００５】
また、メモリカードの場合は、一般的には、ビデオカメラ本体から着脱可能な場合が多い。また、メモリカードは、一般的に、ＤＶＤ等と比較して高価であることも多く、メモリカードの残量が無くなった場合には、やはりＨＤＤと同様、記録した動画像データを比較的安価なＤＶＤなどの記録媒体にコピーする必要が生ずる。
【０００６】
更には、近年のビデオカメラにおいては、特に、ＨＤＤとメモリカードにおいて大容量化が進んでいる。そのため、記録可能時間は長くなる傾向があると共に、記録する画像データの記録単位であるチャプタ（画像データ群）の数も増加する傾向にある。そうなると、従来以上に大量に記録したチャプタのコンテンツの中から、見たいシーンを探し出すことが困難になってきており、保存の方法を工夫する必要が生じてくる。
【０００７】
このような場合、例えば、ＤＶＤ等へのコピー時に、単にタイトル名や日時情報のみならず、管理情報をラベルプリントして、より多くの情報をユーザが得られるようにした構成が提案されている（例えば、下記の特許文献１参照）。
【０００８】
また、ＤＶＤにコンテンツを記録するＤＶＤレコーダにおいて、ＤＶＤのディスクレーベル面にコンテンツ情報を印刷するレーベル印刷部を備え、ディスクコピー後の整理作業の手間を軽減する構成が提案されている（例えば、下記の特許文献２参照）。
【０００９】
更には、データストリームのオブジェクトが格納可能に構成されたデータ領域、及び、ブジェクトを管理する管理情報が格納可能に構成された管理領域を備えた、記録再生可能な情報記録媒体を用いた構成が提案されている（例えば、下記の特許文献３参照）。具体的に、この特許文献３には、前記管理情報に、前記オブジェクト内の再生箇所を指定するためのマーキング情報を格納できるようにして、記録する記録媒体の容量が大きくなっても、ユーザの好きな箇所から記録再生できるようにした構成が提案されている。
【００１０】
【特許文献１】特開２００６−１０８９２６号公報
【特許文献２】特開２００６−３５１０５２号公報
【特許文献３】特開２００２−１５７８６３号公報
【発明の開示】
【発明が解決しようとする課題】
【００１１】
しかしながら、上述した従来の構成では、特に、大量に記録したコンテンツに対する整理作業の効率化の考慮が不十分である。例えば、上述した従来の構成では、大量のチャプタを記録媒体にコピーする場合、これらのチャプタを適切に分類することに対する考慮が不十分であるため、これらの大量のチャプタが単純に記録された順序で、特に分類されずに記録媒体にコピーされてしまう。その結果、コピー後の記録媒体から所望のチャプタを探し出して再生しようとするとき、コピーした全記録媒体の内容からユーザは所望のチャプタを探し出さなくてはならなくなることも考えられ、使い勝手が良くないという問題がある。
【００１２】
本発明は上述した問題点に鑑みてなされたものであり、複数のチャプタ（画像データ群）を記録媒体に記録する際に、それらの画像データ群を効率良く分類して容易に検索できるようにすることを目的とする。
【課題を解決するための手段】
【００１３】
本発明の画像データ記録システムは、複数の画像データ群を記憶する記憶手段と、前記画像データ群のうちの１つの画像データにおける縮小画像データを生成する縮小画像生成手段と、前記複数の画像データ群における前記縮小画像データの中から特定の縮小画像データを選択する処理を行なう選択処理手段と、前記選択処理手段による前記特定の縮小画像データの選択結果に応じて、前記複数の画像データ群を複数の集団に分けて記録媒体に記録する際に用いる管理情報を構成する構成手段と、前記記録媒体の外面に前記選択処理手段で選択された特定の縮小画像データに基づく縮小画像の印刷と、前記管理情報に基づく、前記複数の集団に分けられた前記複数の画像データ群の記録とを制御する制御手段と
を有する。
【００１４】
本発明の画像データ記録方法は、記憶手段に記憶された複数の画像データ群を記録媒体に記録する処理を行なう画像データ記録方法であって、前記画像データ群のうちの１つの画像データにおける縮小画像データを生成する縮小画像生成ステップと、前記複数の画像データ群における前記縮小画像データの中から特定の縮小画像データを選択する処理を行なう選択処理ステップと、前記選択処理ステップによる前記特定の縮小画像データの選択結果に応じて、前記複数の画像データ群を複数の集団に分けて記録媒体に記録する際に用いる管理情報を構成する構成ステップと、前記記録媒体の外面に前記選択処理ステップで選択された特定の縮小画像データに基づく縮小画像の印刷と、前記管理情報に基づく、前記複数の集団に分けられた前記複数の画像データ群の記録とを制御する制御ステップとを有する。
【発明の効果】
【００１５】
本発明によれば、複数の画像データ群を記録媒体に記録する際に、それらの画像データ群を効率良く分類して容易に検索することができる。
【発明を実施するための最良の形態】
【００１６】
以下、本発明を実施するための最良の形態について、添付の図面を参照して説明する。
【００１７】
（第１の実施形態）
図１は、本発明の第１の実施形態に係る画像データ記録システム１０における概略構成の一例を示す模式図である。
画像データ記録システム１０は、画像データ処理装置であるビデオカメラ１００と、印刷及び画像データ書込み装置（以下、「ライタ」と称する）１２０と、ビデオカメラ１００とライタ１２０とを通信可能に接続する接続手段１３０を有して構成されている。ここで、接続手段１３０は、例えば、ＵＳＢケーブルで構成されている。
【００１８】
ビデオカメラ１００は、レンズ１０１、ＣＣＤ１０２、画像信号処理部１０３、記録／再生制御部１０４、記憶媒体制御部１０５、記憶装置１０６、マイコン１０７、ＬＣＤ表示制御部１０８、ＬＣＤ１０９、及び、ＵＳＢ＿Ｉ／Ｆ１１０を有して構成されている。
【００１９】
レンズ１０１は、ビデオカメラ１００の外部から入射した光、例えば被写体の光学像を、ＣＣＤ１０２に導くためのものである。ＣＣＤ１０２は、レンズ１０１から入射した光を受光して、電気信号である画像信号を出力する撮像素子である。画像信号処理部１０３は、記録／再生制御部１０４に対応した信号となるようにＣＣＤ１０２から出力された画像信号を処理する。
【００２０】
記録／再生制御部１０４は、画像信号処理部１０３で処理された画像信号に基づく画像データに係る記録制御及び再生制御を行なう。具体的に、記録／再生制御部１０４は、記憶媒体制御部１０５を介して記憶手段である記憶装置１０６と、記録／再生のために符号圧縮化された画像データを送受信する。なお、本実施形態では、画像データ処理装置としてビデオカメラ１００を適用しているため、記録／再生制御部１０４では、動画像データ等に係る記録制御及び再生制御が行なわれる。
【００２１】
マイコン１０７は、ビデオカメラ１００全体の動作を統括的に制御するものであり、必要に応じて、ビデオカメラ１００の内部の構成された各構成部を制御する。ＬＣＤ表示制御部１０８は、記録／再生制御部１０４から画像データ（動画像データ等）を受けて当該画像データに基づく画像や、各種の情報、並びに、各種のメニュー等を表示する制御を行う。ＬＣＤ１０９には、画像等を表示する表示画面と共に、例えば、ユーザが操作可能な操作入力手段であるユーザインターフェイスが設けられている。
【００２２】
ＵＳＢ＿Ｉ／Ｆ１１０は、ＵＳＢケーブルで構成されている接続手段１３０を経由して、ライタ１２０と通信を行なう。
【００２３】
ライタ１２０は、ＵＳＢ＿Ｉ／Ｆ１２１、記録制御部１２２、マイコン１２３、レーベル印刷部１２４、ディスク装置１２５、ＬＣＤ表示制御部１２６、及び、ＬＣＤ１２７を有して構成されている。
【００２４】
ＵＳＢ＿Ｉ／Ｆ１２１は、ＵＳＢケーブルで構成されている接続手段１３０を経由して、ビデオカメラ１００と通信を行なう。
【００２５】
記録制御部１２２は、各種の画像データや各種の情報等の記録制御などを行なう。例えば、記録制御部１２２は、レーベル印刷部１２４に、ビデオカメラ１００から送信されたサムネイル画像データに基づくサムネイル画像を、ディスクのレーベル面に印刷する処理を行なわせる。また、例えば、記録制御部１２２は、ディスク装置１２５に、ビデオカメラ１００から送信された動画像データを記録媒体であるディスクに記録する処理を行なわせる。更に、例えば、記録制御部１２２は、ＬＣＤ表示制御部１２６に、画像データや各種の情報、並びに、各種のメニュー等をＬＣＤ１２７に表示する処理を行なわせる。マイコン１２３は、ライタ１２０全体の動作を統括的に制御するものであり、必要に応じて、ライタ１２０の内部の構成された各構成部を制御する。
【００２６】
レーベル印刷部１２４は、ディスク（本例ではＤＶＤ）におけるレーベル面への印刷処理を行なう。ディスク装置１２５は、ディスクに対する画像データ（本例では、動画像データ）の書込み処理を行なう。
【００２７】
ＬＣＤ表示制御部１２６は、ＬＣＤ１２７に、画像データや各種の情報（例えばライタ１２０の制御状態情報など）、並びに、各種のメニュー等を表示する制御を行う。ＬＣＤ１２７には、例えば、画像等を表示する表示画面と共に、ユーザが操作可能な操作入力手段であるユーザインターフェイスが設けられている。
【００２８】
次に、図１に示すビデオカメラ１００のマイコン１０７、及び、図１に示すライタ１２０のマイコン１２３において実行される、動画像コピー処理サブルーチンのアルゴリズムについて、図２を用いて説明する。
【００２９】
図２は、図１に示す画像データ記録システム１０における動画像コピー処理の処理手順の一例を示すフローチャートである。
【００３０】
まず、ステップＳ２０１において、ビデオカメラ１００のマイコン１０７は、動画像コピー処理サブルーチンの開始処理を行なう。本サブルーチンは、マイコン１０７において、動画像コピー処理が必要と判断された時に呼び出される。
【００３１】
例えば、このステップＳ２０１では、マイコン１０７は、記憶装置１０６に記憶されている動画像データ（画像データ群）のうちの１つの静止画像データにおけるサムネイル画像データ（縮小画像データ）を生成する。ここでは、記憶装置１０６に記憶されている複数の動画像データにおける各動画像データごとに、サムネイル画像データが生成される。この生成処理を行なうマイコン１０７は、縮小画像生成手段を構成する。そして、ＬＣＤ表示制御部１２６は、マイコン１０７及び記録／再生制御部１０４の制御に基づいて、生成されたサムネイル画像データに基づくサムネイル画像（縮小画像）を表示装置であるＬＣＤ１０９に表示する表示制御を行なう。この際、記録／再生制御部１０４は、記憶媒体制御部１０５を介して、生成されたサムネイル画像データを、対応する動画像データ（画像データ群）と関連付けて記憶装置１０６に記憶する制御を行なう。また、ＬＣＤ１０９に表示されるサムネイル画像は、レーベル印刷処理の候補となる縮小画像である。この内容の詳細については、ステップＳ２０２の選択方法と共に後述する。
【００３２】
続いて、ステップＳ２０２において、マイコン１０７は、ＬＣＤ１２７からの選択信号に基づいて、レーベル印刷処理を行なうサムネイル画像データ（特定の縮小画像データ）を選択する選択処理を行なう。この選択処理を行なうマイコン１０７は選択処理手段を構成する。このステップＳ２０２の選択方法の詳細は後述するが、本実施形態では、複数のサムネイル画像データの選択処理が行なわれる。
【００３３】
ステップＳ２０２においてサムネイル画像データの選択後、続いて、ステップＳ２０３において、マイコン１０７は、動画像データのコピーを開始するためのコピー開始ボタン（不図示）が押されたか否かを判断する。ここで、本例では、コピー開始ボタンを構成するようにしているが、必ずしもボタンである必要がなく、ソフトウェア的に構成されたメニューを用いてその選択により動画像データのコピー開始の判断を行なうようにしても良い。
【００３４】
ステップＳ２０３の判断の結果、コピー開始ボタンが押されていない場合には、コピー開始ボタンが押されたと判断されるまで、ステップＳ２０３で待機する。一方、ステップＳ２０３の判断の結果、コピー開始ボタンが押された場合には、ステップＳ２０４に進む。
【００３５】
ステップＳ２０４に進むと、マイコン１０７は、ステップＳ２０２で実行されたサムネイル画像データの選択結果に応じて、ＤＶＤ規格に基づく画像コンテンツ管理情報（以下、単に「管理情報」と称する）の再構成を行なう。ここでは、マイコン１０７は、複数の動画像データを複数の集団に分けて記録媒体であるディスクに記録する際に用いる管理情報を構成する処理を行なう。この構成処理を行なうマイコン１０７は、構成手段を構成する。このステップＳ２０４の再構成方法の詳細は後述する。
【００３６】
続いて、ステップＳ２０５において、マイコン１０７は、ステップＳ２０２において選択された、レーベル印刷処理を行なうサムネイル画像データのファイルをライタ１２０に送信する処理を行なう。この際、マイコン１０７は、レーベル印刷開始命令の送信もライタ１２０に対して行う。
【００３７】
ビデオカメラ１００からサムネイル画像データ及びレーベル印刷開始命令が送信されると、ステップＳ２０６において、ライタ１２０のマイコン１２３は、受信したサムネイル画像データに基づくサムネイル画像を、ディスクのレーベル面に印刷する制御を行なう。具体的に、マイコン１２３は、記録制御部１２２を制御して、レーベル印刷部１２４に、ディスクのレーベル面に当該サムネイル画像を印刷させる。
【００３８】
続いて、ステップＳ２０７において、ビデオカメラ１００のマイコン１０７は、ステップＳ２０４で再構成された管理情報をライタ１２０に送信する処理を行なう。この際、ステップＳ２０４で再構成された管理情報が、２枚以上のディスクに分割される結果となった場合は、１枚分のディスクの管理情報をライタ１２０に送信する。更に、ビデオカメラ１００のマイコン１０７は、ライタ１２０に対して、ステップＳ２０５で送信したサムネイル画像データのファイルに対応する動画像データのファイルを送信すると共に、ディスク書込み命令を送信する処理を行なう。
【００３９】
ビデオカメラ１００から管理情報、動画像データ及びディスク書込み命令が送信されると、ステップＳ２０８において、ライタ１２０のマイコン１２３は、受信した管理情報に基づいて、受信した動画像データをディスクに記録する制御を行なう。具体的に、マイコン１２３は、記録制御部１２２を制御して、ディスク装置１２５に、受信した動画像データをディスクに書き込ませて記録させる。
【００４０】
このステップＳ２０８における書き込み処理が終了すると、１枚のディスクに対して、サムネイル画像のレーベル印刷と、動画像データのディスク書き込みがなされ、当該１枚のディスクの処理が終了となる。
【００４１】
続いて、ステップＳ２０９において、ビデオカメラ１００のマイコン１０７は、未処理のディスクが無いか否かを判断する。ここでは、ステップＳ２０４で再構成された管理情報が、複数枚のディスクに分割される結果となった場合に、全てのディスクに対して、ステップＳ２０５〜Ｓ２０８までの一連の処理が終了しているか否かを判断する。
【００４２】
ステップＳ２０９の判断の結果、未処理のディスクがある場合には、ステップＳ２０５に戻り、当該未処理のディスクに対して、再度、ステップＳ２０５〜Ｓ２０８の処理を行なう。
【００４３】
一方、ステップＳ２０９の判断の結果、未処理のディスクが無い場合（即ち、対象となる全てのディスクの処理が終了した場合）には、ステップＳ２１０に進み、本サブルーチンの終了処理を行なう。
【００４４】
例えば、ステップＳ２０４において再構成された管理情報が、３枚分のディスクに分割されたものとする。この場合、１枚目のディスクに係る管理情報に対するステップＳ２０５〜Ｓ２０８の処理の実行後、ステップＳ２０９の判断を行なうと、残り２枚のディスクにおける処理が未実施であるため、ステップＳ２０５に戻る。
【００４５】
そして、２枚目のディスクに係る管理情報に対するステップＳ２０５〜Ｓ２０８の処理が実行される。このステップＳ２０５〜Ｓ２０８の処理の実行後、ステップＳ２０９の判断を行なうと、残り１枚のディスクにおける処理が未実施であるため、再度、ステップＳ２０５に戻る。
【００４６】
そして、３枚目のディスクに係る管理情報に対するステップＳ２０５〜Ｓ２０８の処理が実行される。このステップＳ２０５〜Ｓ２０８の処理の実行後、ステップＳ２０９の判断を行なうと、ステップＳ２０４において再構成された管理情報の３枚分の全てのディスクにおける処理が終了しているため、ステップＳ２１０に進み、本サブルーチンの処理が終了する。
【００４７】
次に、図２のステップＳ２０１の開始処理、並びに、図２のステップＳ２０２のサムネイル画像データの選択方法の詳細について、図３を用いて説明する。
【００４８】
図３は、図１に示すビデオカメラ１００のＬＣＤ１０９に表示されるユーザインターフェイス画面の一例を示す模式図である。
このユーザインターフェイス画面は、例えば、ビデオカメラ１００のＬＣＤ１０９における表示枠３００に表示されている。図３には、レーベル印刷処理の候補となる縮小画像である、サムネイル画像Ａ（３０１）、サムネイル画像Ｂ（３０２）、サムネイル画像Ｃ（３０３）、サムネイル画像Ｄ（３０４）、サムネイル画像Ｅ（３０５）、及びサムネイル画像Ｆ（３０６）が示されている。
【００４９】
サムネイル画像Ａ（３０１）〜サムネイル画像Ｆ（３０６）は、ビデオカメラ１００の記憶装置１０６に記憶済みのチャプタについて、各チャプタにおける動画像データの代表となる時間軸上の地点の静止画像をサムネイル画像として切り出したものである。
【００５０】
なお、本実施形態では、記録する画像データ群の単位である１つのチャプタとして、１つの動画像データのファイルを適用した例を示すが、必ずしも、１つの動画像データのファイルを適用する必要は無い。例えば、１つのチャプタとして、１つの動画像データを所定の単位や所定の時間ごとに区切ったデータを適用する形態も、本実施形態に適用可能である。
【００５１】
そして、図３に示す例では、各サムネイル画像が、表示枠３００の内側に、縦２行、横３列のように並んで表示される。カーソル３０７は、表示枠３００に表示されたサムネイル画像をユーザが選択する際に用いられるものである。
【００５２】
このカーソル３０７は、ユーザが不図示の十字キー等を操作することにより、各サムネイル画像上を移動することができる。更に、例えば、カーソル３０７がサムネイル画像Ａ（３０１）上に位置する状態で、ユーザにより十字キーが左側に操作されると、表示枠３００には、前ページの分のサムネイル画像を表示することができる。同様に、例えば、カーソル３０７がサムネイル画像Ｆ（３０６）上に位置する状態で、ユーザにより十字キーが右側に操作されると、表示枠３００には、次ページの分のサムネイル画像を表示することができる。本例では、表示枠３００の表示スペースは６枚分のサムネイル画像しかないが、上述した方法により、７枚以上のサムネイル画像を表示することが可能である。
【００５３】
そして、ユーザは、レーベル印刷処理を行ないたいサムネイル画像の位置にカーソル３０７を移動し、不図示の設定ボタンを押すことで、そのサムネイル画像が、レーベル印刷対象として選択され登録される。この選択操作がなされると、ステップＳ２０２において、マイコン１０７は、ＬＣＤ１２７からの選択信号に基づいて、該当するサムネイル画像データを選択する選択処理を行なう。
【００５４】
次に、図２のステップＳ２０４において実行される、選択されたサムネイル画像データに合わせて管理情報を再構成する方法について、図４を用いて説明する。
【００５５】
図４は、図２のステップＳ２０４において実行される管理情報の再構成処理を説明するための模式図である。
チャプタ１（４０１）は、ビデオカメラ１００において撮影された１つ目のチャプタである。同様にして、図４には、チャプタ２（４０２）、チャプタ３（４０３）、チャプタ４（４０４）、チャプタ５（４０５）、チャプタ６（４０６）、チャプタ７（４０７）、チャプタ８（４０８）、チャプタ９（４０９）、及びチャプタ１０（４１０）が示されている。即ち、図４に示す例では、１０個のチャプタを撮影済みである場合を示している。本実施形態では、説明の簡略化のために、１０個のチャプタを例としているが、もちろん、チャプタの数は、１０よりも多い形態であっても適用可能である（実使用上の例としては、数十から数百のチャプタが考えられる）。
【００５６】
サムネイル画像１（４１６）は、チャプタ１（４０１）に対応するサムネイル画像である。同様に、サムネイル画像３（４１７）は、チャプタ３（４０３）に対応するサムネイル画像である。サムネイル画像６（４１８）は、チャプタ６（４０６）に対応するサムネイル画像である。サムネイル画像７（４１９）は、チャプタ７（４０７）に対応するサムネイル画像である。サムネイル画像９（４２０）は、チャプタ９（４０９）に対応するサムネイル画像である。
【００５７】
本例では、図２のステップＳ２０２の選択処理において、サムネイル画像１（４１６）、サムネイル画像３（４１７）、サムネイル画像６（４１８）、サムネイル画像７（４１９）、及びサムネイル画像９（４２０）の各データが選択されたことを示している。
【００５８】
また、本実施形態では、ステップＳ２０４の処理の前段階において、ユーザからの不図示の入力手段を介した操作入力等による設定により、マイコン１０７は、ディスク１枚当たりのレーベル面に印刷可能なサムネイル画像の枚数を予め設定しているものとする。その際に行なわれる設定は、例えば、固定値（例えば、４枚等）としても良いし、また、メニュー等から選択可能（例えば、２枚、４枚、６枚の中から選択可能とする等）としても良い。
【００５９】
図２のステップＳ２０４では、まず、ステップＳ２０２のサムネイル画像データの選択結果に応じて、管理情報の１つである、タイトルの分割に係るタイトル情報の再構成を行なう。本実施形態では、選択されたサムネイル画像データを含むチャプタが、単一タイトル内の先頭チャプタとなるように、タイトルを分けてタイトル情報を再構成する。
【００６０】
例えば、サムネイル画像１（４１６）が含まれるチャプタ１（４０１）を先頭チャプタとし、次に選択されたサムネイル画像３（４１７）が含まれるチャプタ３の１つ手前のチャプタ２（４０２）を最終チャプタとする集団（タイトル１（４１１））を構成する。即ち、ステップＳ２０４では、ステップＳ２０２で最初に選択されたサムネイル画像データに係るチャプタから、次に選択されたサムネイル画像データに係るチャプタの直前のチャプタまでを１つの集団として１つのタイトルを付したタイトル情報を構成している。なお、本実施形態では、不図示の入力手段により、複数のチャプタを集団として分割する形態であるが、この際、画像データ群に対して名称やキーワード等のタイトル分けに係るタイトル情報を入力するようにしても良い。ここで、この入力手段は、タイトル設定手段を構成する。
【００６１】
タイトル１（４１１）は、チャプタ１（４０１）及びチャプタ２（４０２）の２チャプタを構成要素とするものとなる。同様にして、チャプタ３（４０３）〜チャプタ５（４０５）がタイトル２（４１２）の構成要素となり、チャプタ６（４０６）がタイトル３（４１３）の構成要素となる。更に、チャプタ７（４０７）〜チャプタ８（４０８）がタイトル４（４１４）の構成要素となり、チャプタ９（４０９）〜チャプタ１０（４１０）がタイトル５（４１５）の構成要素となる。以上のようにして、タイトルの分割が再構成される。
【００６２】
更に、ステップＳ２０４では、タイトルの分割によるタイトル情報の再構成の次に、管理情報の１つである、ディスクの分割に係るディスク情報の再構成を行なう。このディスク情報は、タイトル情報に基づきタイトル分けされたチャプタの記録先となるディスクを定めた記録先情報である。ここで、本例では、上述した設定により、ディスク１枚あたりのレーベル面に印刷可能なサムネイル画像の枚数が、最大４枚と予め設定されているものとする。上述したタイトルの分割手順で説明のように、レーベル印刷処理を行なう対象として選択されたサムネイル画像の枚数と、タイトル分割の結果得られたタイトルの数とは、等しくなる。
【００６３】
図４に示す例では、選択されたサムネイル画像の枚数は５であり、タイトルの数も５である。その結果、ディスク１枚に記録可能なチャプタに係るタイトルの数は、ディスク１枚あたりのレーベル面に印刷可能なサムネイル画像の枚数と同じであり、本例では４タイトルとなる。その考え方に従って、ステップＳ２０４では、タイトル１（４１１）からタイトル４（４１４）までをディスク１（４２１）、タイトル５（４１５）をディスク２（４２２）として、ディスクを分けてディスク情報を再構成する。
【００６４】
次に、ステップＳ２０４の管理情報の再構成処理によりディスク分割された結果に基づき、ステップＳ２０６においてレーベル印刷処理がされたディスクのレーベル面の様子を示す。
【００６５】
図５−１は、図２のステップＳ２０６においてレーベル印刷処理がされたディスクのレーベル面の一例を示す模式図である。
図５−１において、レーベル面５０６は、図４に示すディスク１（４２１）の外面であるレーベル面を示し、レーベル面５０７は、図４に示すディスク２（４２２）の外面であるレーベル面を示している。
【００６６】
図５−１に示すサムネイル画像１（５０１）は、ディスク１のレーベル面５０６に印刷されたサムネイル画像であり、図４のタイトル１（４１１）（具体的には、サムネイル画像１（４１６））に対応するものである。同様に、サムネイル画像２（５０２）は、図４のタイトル２（４１２）（具体的には、サムネイル画像３（４１７））に対応するサムネイル画像である。また、サムネイル画像３（５０３）は、図４のタイトル３（４１３）（具体的には、サムネイル画像６（４１８））に対応するサムネイル画像である。また、サムネイル画像４（５０４）は、図４のタイトル４（４１４）（具体的には、サムネイル画像７（４１９））に対応するサムネイル画像である。
【００６７】
本例では、上述したように、ディスク１枚当たりのレーベル面に印刷可能なサムネイル画像の枚数を最大４枚と予め設定し、ステップＳ２０４の管理情報の再構成処理においてタイトル１（４１１）〜タイトル４（４１４）をディスク１として設定している。これにより、ステップＳ２０６において、サムネイル画像１（５０１）〜サムネイル画像４（５０４）が、ディスク１のレーベル面５０６に印刷される。
【００６８】
この図５−１に示すディスク１の場合には、ステップＳ２０８において、タイトル１（４１１）からタイトル４（４１４）までの各チャプタに係る動画像データのファイルがディスク１に記録される。
【００６９】
更に、本実施形態では、このステップＳ２０８の際、例えばライタ１２０のマイコン１２３は、管理情報のディスク１に割り振られたタイトル分けに応じて、ディスク１に記録されたチャプタの集団を示すタイトルに係るメニュー画像データの生成処理を行なう。この生成処理を行なうマイコン１２３は、メニュー画像生成手段を構成する。さらに、例えばライタ１２０のマイコン１２３は、生成したメニュー画像データをディスク１に記録する制御を行なう。
【００７０】
図５−２は、図５−１に示すディスク１に記録されたメニュー画像データに基づくメニュー画像の一例を示すイメージ図である。
図５−２に示すメニュー画像５２０には、ディスク１に割り振られたタイトル１（４１１）〜タイトル４（４１４）をそれぞれ示す、タイトル１（５２１）、タイトル１（５２２）、タイトル３（５２３）及びタイトル４（５２４）が示されている。
【００７１】
このメニュー画像５２０は、例えば、ＤＶＤであるディスク１をプレーヤーに入れた際に、表示画面に表示されるものであり、表示されたタイトルをキーとして当該ディスク１に記録されている動画像データ（チャプタ）が検索可能になっている。なお、例えば、対応するサムネイル画像を更に表示するメニュー画像であっても良い。
【００７２】
また、図５−１に示すサムネイル画像５（５０５）は、ディスク２のレーベル面５０７に印刷されたサムネイル画像であり、図４のタイトル５（４１５）（具体的には、サムネイル画像９（４２０））に対応するものである。
【００７３】
この場合、ステップＳ２０６において、ステップＳ２０４の管理情報の再構成結果に基づき、ディスク２に割り当てられたサムネイル画像５（５０５）が、ディスク２のレーベル面５０７に印刷される。
【００７４】
この図５−１に示すディスク２の場合には、ステップＳ２０８において、タイトル５（４１５）の各チャプタに係る動画像データのファイルがディスク２に記録される。更に、ディスク２の場合も、上述したディスク１の場合と同様に、ステップＳ２０８において、ディスク２に割り振られたタイトル分けに応じてメニュー画像データが生成され、当該メニュー画像データをディスク２に記録する処理が行なわれる。
【００７５】
（第２の実施形態）
図６は、本発明の第２の実施形態に係る画像データ記録システム２０における概略構成の一例を示す模式図である。ここで、図６において、図１と同様の構成については、同じ符号を付しており、その詳細な説明は省略する。
【００７６】
図６に示す画像データ記録システム２０は、画像データ処理装置であるビデオカメラ２００と、ライタ１２０と、ビデオカメラ２００とライタ１２０とを通信可能に接続する接続手段１３０を有して構成されている。即ち、第２の実施形態に係る画像データ記録システム２０では、第１の実施形態に係る画像データ記録システム１０に対して、ビデオカメラの内部構成が異なっている。より詳細には、ビデオカメラ２００の内部構成として、ビデオカメラ１００の内部構成に、省電力スイッチ１１１及び電源回路部１１２が追加されている。
【００７７】
省電力スイッチ１１１は、ビデオカメラ２００の省電力モードの切り替えを行なう際に操作される切替手段である。
【００７８】
電源回路部１１２は、ビデオカメラ２００の各構成部に電源を供給すると共に、省電力スイッチ１１１の操作に応じて、ビデオカメラ２００の各構成部を省電力状態にする。
【００７９】
この省電力機能は、省電力スイッチ１１１の操作により、省電力状態から解除してビデオカメラ２００を記録可能状態に遷移させるまでの所要時間を、以下のように設定して省電力状態に移行させるものである。具体的には、当該所要時間を、ビデオカメラ２００の電源を完全にＯＦＦした状態からＯＮして記録可能状態に遷移させるまでの所要時間よりも短時間になるように設定して、ビデオカメラ２００の内部の特定の構成部のみを省電力状態に移行させる。
【００８０】
また、電源回路部１１２は、記録／再生制御部１０４及びマイコン１０７に対して、省電力実行状態を通知している。
マイコン１０７では、省電力状態から非省電力状態に移行した後に（即ち、省電力モードの解除時に）、初回に記録された動画像データのチャプタにおけるサムネイル画像データを、レーベル印刷処理の対象として自動選択する。
【００８１】
即ち、マイコン１０７は、ビデオカメラ２００の一時休止状態（省電力状態）からの復帰後に、最初に撮影されて記録された動画像データのチャプタにおける静止画像データを、代表となるサムネイル画像データとして自動選択する処理を行なう。この場合、マイコン１０７は、省電力状態からの復帰ごとに、即ち、省電力スイッチ１１１による省電力モードの解除の操作と連動して、サムネイル画像データの自動選択処理を行なう。
【００８２】
次に、図６に示すビデオカメラ２００のマイコン１０７において実行される、レーベル印刷処理を行なうサムネイル画像データの自動選択処理について、図７を用いて説明する。
【００８３】
図７は、図６に示すビデオカメラ２００における動画像記録処理の処理手順の一例を示すフローチャートである。
【００８４】
まず、ステップＳ７０１において、ビデオカメラ２００のマイコン１０７は、動画像データの記録処理を開始する。
【００８５】
続いて、ステップＳ７０２において、マイコン１０７は、ユーザ（操作者）によって記録開始ボタン（不図示）が押されたか否かを判断する。
【００８６】
ステップＳ７０２の判断の結果、記録開始ボタンが押されていない場合には、記録開始ボタンが押されたと判断されるまで、ステップＳ７０２で待機する。一方、ステップＳ７０２の判断の結果、記録開始ボタンが押された場合には、ステップＳ７０３に進む。
【００８７】
ステップＳ７０３に進むと、マイコン１０７は、記録開始処理を行なう。具体的に、ステップＳ７０３では、例えば、記録する動画像データ（チャプタ）に対応する所定の静止画像データであるサムネイル画像データの生成などを行なう。
【００８８】
続いて、ステップＳ７０４において、マイコン１０７は、撮影中の動画像データを記憶装置１０６に記録する記録処理を行なう。
【００８９】
続いて、ステップＳ７０５において、マイコン１０７は、ユーザ（操作者）によって記録終了ボタン（不図示）が押されたか否かを判断する。
【００９０】
ステップＳ７０５の判断の結果、記録終了ボタンが押されていない場合には、記録終了ボタンが押されたと判断されるまで、ステップＳ７０４の処理を継続して行なう。一方、ステップＳ７０５の判断の結果、記録終了ボタンが押された場合には、ステップＳ７０６に進む。
【００９１】
ステップＳ７０６に進むと、マイコン１０７は、今回の記憶装置１０６への記録が、省電力モード解除後の初回の記録であるか否かを判断する。この際の判断は、例えば、図６の電源回路部１１２より得られる省電力状態に係る情報を利用して行なわれる。
【００９２】
ステップＳ７０６の判断の結果、今回の記憶装置１０６への記録が省電力モード解除後の初回の記録である場合には、ステップＳ７０７に進む。ステップＳ７０７に進むと、マイコン１０７は、管理情報に登録する、当該初回の記録に係る動画像データ（チャプタ）のサムネイル画像データを選択するためのレーベル印刷対象選択情報を生成する。
【００９３】
ステップＳ７０７の処理が終了した場合、或いは、ステップＳ７０６で今回の記憶装置１０６への記録が省電力モード解除後の初回の記録でないと判断された場合には、ステップＳ７０８に進む。ステップＳ７０８に進むと、マイコン１０７は、記録終了処理を行なう。具体的に、ステップＳ７０８では、例えば、撮影した動画像データ（チャプタ）に係る管理情報を記憶装置１０６に記憶して登録する処理を行なう。この際、ステップＳ７０７において、レーベル印刷対象選択情報が生成されていれば、その情報も合わせて記憶装置１０６に記憶して登録する処理を行なう。
【００９４】
その後、ステップＳ７０９において、マイコン１０７は、本フローチャートの処理を終了する処理を行なう。
【００９５】
次に、図６に示すビデオカメラ２００のマイコン１０７、及び、図６に示すライタ１２０のマイコン１２３において実行される、動画像コピー処理サブルーチンのアルゴリズムについて、図８を用いて説明する。
【００９６】
図８は、図６に示す画像データ記録システム２０における動画像コピー処理の処理手順の一例を示すフローチャートである。ここで、図８において、図２の処理と同様の処理については、同じステップ番号を付しており、その詳細な説明は省略する。
【００９７】
具体的に、図８のフローチャートにおける図２のフローチャートとの差異は、ステップＳ２０２のレーベル印刷処理を行なうサムネイル画像データの選択処理が削除されている点である。このレーベル印刷処理を行なうサムネイル画像データの選択処理は、第１の実施形態ではユーザの手動による選択に基づき行なうものであったが、第２の実施形態では、図７に示す動画像記録処理において自動で選択が実行されている。
【００９８】
まず、図８のステップＳ２０１において、第１の実施形態と同様に、マイコン１０７は、動画像コピー処理サブルーチンの開始処理を行なう。
【００９９】
続いて、ステップＳ２０３において、マイコン１０７は、動画像のコピーを開始するためのコピー開始ボタン（不図示）が押されたか否かを判断する。この判断の結果、コピー開始ボタンが押されていない場合には、コピー開始ボタンが押されたと判断されるまで、ステップＳ２０３で待機する。一方、ステップＳ２０３の判断の結果、コピー開始ボタンが押された場合には、ステップＳ２０４に進む。
【０１００】
続いて、ステップＳ２０４において、マイコン１０７は、サムネイル画像データの選択結果に応じて、ＤＶＤ規格に基づく管理情報の再構成を行なう。この際、第２の実施形態では、図７のステップＳ７０７で生成し、ステップＳ７０８で記憶装置１０６に登録したレーベル印刷対象選択情報を用いて、管理情報の再構成を行なう。
【０１０１】
その後、ステップＳ２０５に進み、第１の実施形態と同様に、ステップＳ２０５〜Ｓ２１０の処理が行なわれる。
【０１０２】
上述した本発明の各実施形態では、レーベル印刷処理を行なうサムネイル画像データを手動又は自動で選択し、当該選択結果に応じて複数のチャプタ（画像データ群）を複数の集団に分けてディスクに記録する際に用いる管理情報を構成するようにしている。具体的に、管理情報としては、上述した集団ごとにタイトル分けされたタイトル情報、及び、タイトル情報に基づき記録先となるディスクを定めたディスク情報が定められている。そして、管理情報に基づいて、ディスクの外面に選択されたサムネイル画像データに基づくサムネイル画像の印刷を行なうと共に、当該ディスクに当該サムネイル画像データに係るチャプタをタイトルごとに記録する制御を行なうようにしている。即ち、本実施形態では、レーベル印刷処理するサムネイル画像データを選択することで、そのサムネイル画像データの生成元となるチャプタを区切りとしてタイトル分け及びディスク分けした上でディスクへの記録（コピー）を行なうようにしている。
かかる構成によれば、ユーザは、ディスクのレーベル面に印刷されたサムネイル画像を見ることで、概略どのディスクに所望のチャプタが存在するのかの目処をつけることができる。即ち、本発明の各実施形態によれば、複数のチャプタをディスクに記録する際に、それらのチャプタを効率良く分類して容易に検索することが可能となる。
【０１０３】
更に、上述した本発明の各実施形態では、タイトル分けに応じて、ディスクに記録されたチャプタの集団を示すタイトルに係るメニュー画像データを生成し、これを当該ディスクに記録するようにしている。
かかる構成によれば、メニュー画像データに基づくメニュー画像を表示することで、タイトルをキーとしてチャプタを検索し、所望のシーンに係る動画像の再生を行なうことができ、検索性の向上が図れる。
【０１０４】
更には、サムネイル画像の選択という単一の操作で、簡単に、ディスクのレーベル面に当該サムネイル画像の印刷と、動画像コンテンツのタイトル分けもしくはディスク分けを同時に設定できるため、ユーザの利便性が向上する。
【０１０５】
なお、上述した本発明の各実施形態では、画像データ処理装置としてビデオカメラを適用した例を示したが、例えば、画像信号処理部１０３以降の番号の構成部（記憶装置１０６を含む）をＰＣの内部に構成した形態であっても適用できる。この場合、ＰＣにおいて、上述したサムネイル画像データの選択処理と管理情報の再構成処理を行ない、当該ＰＣとライタ１２０とで通信を行なってディスクへのコピー処理を実行する形態を採る。
【０１０６】
また、上述した本発明の各実施形態では、接続手段１３０として有線のＵＳＢケーブルを適用した例を示したが、例えば、無線で構成されたものであっても良い。また、上述した各実施形態では、ビデオカメラ（又はＰＣ）の内部に設けられたマイコン１０７において、ステップＳ２０２のサムネイル画像データを選択する際に、自装置のＬＣＤ１０９からの選択指示に基づき行なっていたが、以下の場合であっても良い。具体的に、ビデオカメラ（又はＰＣ）の内部に設けられたマイコン１０７において、接続手段１３０で接続された外部装置であるライタ１２０からの操作による選択指示に基づいて、サムネイル画像データの選択処理を行なう形態も適用可能である。
【０１０７】
また、上述した本発明の各実施形態では、レーベル印刷処理を行なうサムネイル画像データの選択処理と管理情報の再構成処理をビデオカメラ側において実行する形態としているが、例えば、ライタ１２０側で行なう形態であっても適用できる。この場合、ライタ１２０側に、サムネイル画像データの選択処理と管理情報の再構成処理を行なうビデオカメラと同様の機能を構成し、当該機能を用いてレーベル印刷処理を行なうサムネイル画像の選択処理と管理情報の再構成処理を実行する形態を採る。
【０１０８】
また、上述した各実施形態では、１枚のディスクのレーベル面に印刷可能なサムネイル画像の枚数に制限を設けることで、大抵の場合、１枚のディスクの記録可能容量を全て使いきらない場合が多くなる。これは、チャプタの分類とレーベル面に印刷されるサムネイル画像との整合を図り、検索性を優先した結果である。この際、ディスクの記録可能容量を全て使い切り、ディスクを経済的に使いたい場合も考えられる。この場合、必要に応じて、本実施形態に示す機能をオフして、サムネイル画像の選択結果に関わらず、従来通り、ディスクフルまで動画コンテンツのファイルをコピーするような機能切替が可能な構成としても良い。
【０１０９】
前述した各実施形態に係る画像データ記録システムの画像データ記録方法を示す図２、図７及び図８の各ステップは、コンピュータのＣＰＵがＲＡＭやＲＯＭなどに記憶されたプログラムを実行することによって実現できる。このプログラム及び当該プログラムを記録したコンピュータ読み取り可能な記憶媒体は本発明に含まれる。
【０１１０】
具体的に、前記プログラムは、例えばＣＤ−ＲＯＭのような記憶媒体に記録し、或いは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体を用いることができる。また、この際の通信媒体としては、光ファイバ等の有線回線や無線回線などが挙げられる。
【０１１１】
また、本発明は、コンピュータが供給されたプログラムを実行することにより各実施形態に係る画像データ記録システムの機能が実現される態様に限られない。そのプログラムがコンピュータにおいて稼働しているＯＳ（オペレーティングシステム）或いは他のアプリケーションソフト等と共同して各実施形態に係る画像データ記録システムの機能が実現される場合も、かかるプログラムは本発明に含まれる。また、供給されたプログラムの処理の全て、或いは一部がコンピュータの機能拡張ボードや機能拡張ユニットにより行われて各実施形態に係る画像データ記録システムの機能が実現される場合も、かかるプログラムは本発明に含まれる。
【０１１２】
また、前述した本実施形態は、何れも本発明を実施するにあたっての具体化の例を示したものに過ぎず、これらによって本発明の技術的範囲が限定的に解釈されてはならないものである。即ち、本発明はその技術的思想、またはその主要な特徴から逸脱することなく、様々な形で実施することができる。
【図面の簡単な説明】
【０１１３】
【図１】本発明の第１の実施形態に係る画像データ記録システムにおける概略構成の一例を示す模式図である。
【図２】図１に示す画像データ記録システムにおける動画像コピー処理の処理手順の一例を示すフローチャートである。
【図３】図１に示すビデオカメラのＬＣＤに表示されるユーザインターフェイス画面の一例を示す模式図である。
【図４】図２のステップＳ２０４において実行される管理情報の再構成処理を説明するための模式図である。
【図５−１】図２のステップＳ２０６においてレーベル印刷処理がされたディスクのレーベル面の一例を示す模式図である。
【図５−２】図５−１に示すディスク１に記録されたメニュー画像データに基づくメニュー画像の一例を示すイメージ図である。
【図６】本発明の第２の実施形態に係る画像データ記録システムにおける概略構成の一例を示す模式図である。
【図７】図６に示すビデオカメラにおける動画像記録処理の処理手順の一例を示すフローチャートである。
【図８】図６に示す画像データ記録システムにおける動画像コピー処理の処理手順の一例を示すフローチャートである。
【符号の説明】
【０１１４】
１０  画像データ記録システム
１００  ビデオカメラ
１０１  レンズ
１０２  ＣＣＤ
１０３  画像信号処理部
１０４  記録／再生制御部
１０５  記憶媒体制御部
１０６  記憶装置
１０７  マイコン
１０８  ＬＣＤ表示制御部
１０９  ＬＣＤ
１１０  ＵＳＢ＿Ｉ／Ｆ
１２０  ライタ（印刷及び画像データ書込み装置）
１２１  ＵＳＢ＿Ｉ／Ｆ
１２２  記録制御部
１２３  マイコン
１２４  レーベル印刷部
１２５  ディスク装置
１２６  ＬＣＤ表示制御部
１２７  ＬＣＤ
１３０  接続手段
【図１】
2009303017.tif 000003
【図２】
2009303017.tif 000004
【図３】
2009303017.tif 000005
【図４】
2009303017.tif 000006
【図５−１】
2009303017.tif 000007
【図５−２】
2009303017.tif 000008
【図６】
2009303017.tif 000009
【図７】
2009303017.tif 000010
【図８】
2009303017.tif 000011